(57)【要約】【課題】デジタル放送コンテンツをＤＶＤ−ＲＡＭやＳＤメモリ等のリムーバブル記録媒体に記録する場合、ＣＰＲＭに代表されるようなコピープロテクト機能を記録装置側に備えていなければ、記録できない。【解決手段】デジタルチューナ部１０１と、副アナログチューナ部１０３と、ＳＤ録画再生モジュール１０５と、ＡＶ切替スイッチ１０４と、映像音声処理ブロック１０６を備え、これらのシステムを制御する制御用ＣＰＵ１０９と、サイマル放送情報によりデジタル放送チャンネルの番組と同一のアナログ放送のチャンネルを対応付けて記憶するメモリ１１０を有し、この対応付けによりデジタル放送と同一の内容のアナログ放送をＳＤ録画再生モジュール１０５に記録する。【選択図】図１
2006246299.tif 000002
【特許請求の範囲】
【請求項１】
デジタル放送信号及びアナログ放送信号を受信する放送受信装置であって、その中にＳＤメモリ等のリムーバブル記録媒体を備え、前記リムーバブル記録媒体に映像音声信号を記録させる手段を有し、前記デジタル放送信号がサイマル放送により、同一番組が、前記アナログ放送信号で送られていることを認識する手段を有し、前記デジタル放送信号が記録できない場合には、前記デジタル放送信号と同一番組のアナログ放送信号を記録することを特徴とする放送受信装置及び放送記録装置。
【請求項２】
前記デジタル放送信号が、サイマル放送によって、同一番組がアナログ放送信号でも送られているときに、前記デジタル放送信号のチャンネル情報と前記アナログ放送信号のチャンネル情報を対応付けて記憶する記憶手段を有し、前記記憶手段の記憶内容に基づいて、前記デジタル放送チャンネルの代わりに前記アナログ放送チャンネルを記録することを特徴とする放送受信装置及び放送記録装置。
【請求項３】
前記放送受信装置において、複数のアナログ放送受信チューナを有し、前記サイマル放送録画を実行する場合には、前記複数のアナログ放送用チューナの中から、前記サイマル放送録画のためのアナログ放送受信チューナを固定して使うことを特徴とする放送受信装置及び放送記録装置。
【発明の詳細な説明】
【技術分野】
【０００１】
本発明は、デジタルテレビ放送とアナログテレビ放送の両方のサービスを受信できるサイマルテレビ放送用のサイマル放送受信機等の放送受信装置およびサイマル放送受信機能を備え、かつ映像信号と音声信号を記録するための記録媒体を備えた放送記録装置に関する。
【背景技術】
【０００２】
近年、デジタル放送の普及によりデジタルデータとして配信される映像データや音声データの著作権保護が必要になっている。２００４年４月には、ＢＳデジタル放送および地上デジタル放送においてＲＭＰ（一回コピー可能）放送が開始された。
【０００３】
一方、リムーバブル記録媒体にコンテンツをデジタル記録する場合の保護方式としてＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）が適用される動きにある。ＣＰＲＭは、ＤＶＤ、ポータブルディスク、ＳＤメモリーカードなど、様々な物理メディア用に開発されたＡＶコンテンツ保護システムで、ＣＰＲＭに対応した機器で録画したＡＶコンテンツは、ＣＰＲＭに対応した機器でしか再生できない。また、ＣＰＲＭに対応していない機器では、録画再生することは許されない。これらの録画の制約は、たとえデジタルコンテンツをアナログ映像、アナログ音声に変換して出力された場合にも同様に適用される。このため、ＳＤメモリーカードなどのリムーバブル記録媒体に映像音声を記録する機能を備えた放送受信装置や放送記録装置は、ＣＰＲＭに対応しない限りデジタルで放送された映像や音声を記録し、再生することはできない。このような状況において、図４に示すように録画できないコンテンツを録画しようとしたときに警告メッセージを出してユーザーに認識させる手段を提案する情報処理装置がある（例えば、特許文献１参照）。
【０００４】
一方、デジタル放送信号とアナログ放送信号の両方を受信可能なサイマル放送受信機においてデジタル信号の信号強度が一定レベルに達せずに受信不可の場合には、アナログ放送受信に、一定レベル以上で受信可能な場合にはデジタル放送受信に切り替えることが提案されており、この発明によれば、信号状況が悪くてもデジタル放送受信と同一番組の視聴を継続することが可能となる（例えば、特許文献２参照）。
【０００５】
図５は、特許文献２に記載されたサイマル放送受信機の実施例を示すものである。図５に示すサイマル放送受信機は到来するデジタル放送信号及びアナログ放送信号を受信するアンテナ４００と、これらデジタル放送信号及びアナログ放送信号の第１中間周波数信号（以下第１ＩＦ信号と称する）に変換するテレビチューナ４０１と、変換されたデジタル放送信号の第１ＩＦ信号又はアナログ放送信号の第１ＩＦ信号を切替選択する切替選択スイッチ４０２と、この切替選択スイッチ４０２にて選択されたアナログ放送信号の第１ＩＦ信号にアナログ信号処理を施すことでアナログ放送を復調するアナログ信号処理部４０３と、切替選択スイッチ４０２にて切替選択されたデジタル放送信号の第１ＩＦ信号を第２ＩＦ信号に変換するコンバータ４１０と、このコンバータ４１０にて変換されたデジタル放送信号の第２ＩＦ信号にデジタル信号処理を施すことでデジタル放送を復調するデジタル信号処理部４０４と、アナログ信号処理部４０３にて復調されたアナログ放送又はデジタル信号処理部４０４にて復調されたデジタル放送を映像音声出力として切替選択する出力切替スイッチ４０５を有している。
【０００６】
さらにテレビチューナ４０１でチューニングされるチャンネルを選局する選局ＰＬＬ部４０６と、アナログ放送信号又はデジタル放送信号の利得を制御する自動利得制御信号を切替選択する自動利得切替選択スイッチ４０７と、種々の情報を記憶するメモリ４０８と、このサイマル放送受信機全体を制御する制御用ＣＰＵ４０９を有している。アナログ信号処理部４０３は、アナログ放送信号の第１ＩＦ信号の受信電界強度を検出し、この受信電界強度を制御用ＣＰＵ４０９に通知するものである。また、コンバータ４１０は、選局ＰＬＬ部４０６からの選局信号に応じて所定周波数信号を発振する発振回路４１１と、切替選択スイッチ４０２にて切替選択されたデジタル放送信号にかかわる第１ＩＦ信号に発振回路４１１からの所定周波数信号を混合して、デジタル放送信号にかかわる第２ＩＦ信号を生成するミキサ４１２を有している。
【０００７】
デジタル信号処理部４０４は、デジタル放送信号の受信状態として、第２ＩＦ信号のＢＥＲを検出すると共に、このＢＥＲを制御用ＣＰＵ４０９に通知するものである。尚、テレビチューナ４０１は、アナログ放送及びデジタル放送を受信するチューナを共用化し、その第１中間周波数帯域を同一としている。さらに、自動利得切替選択スイッチ４０７は、デジタル信号処理部４０４からの自動利得制御信号及びアナログ信号処理部４０３からの自動利得制御信号を切替選択するものである。
【０００８】
メモリ４０８には、デジタル放送の放送チャンネルと、この放送チャンネルと同一番組に関わるアナログ放送の放送チャンネルを対応づけた番組対応表が記憶されている。制御用ＣＰＵ４０９は、切替選択スイッチ４０２、出力切替スイッチ４０５及び自動利得切替選択スイッチ４０７を切替制御するものであり、例えばアナログ放送受信中の場合には、切替選択スイッチ４０２をアナログ側に切替選択するものであり、デジタル放送受信中の場合には、切替選択スイッチ４０２、出力切替スイッチ４０５及び自動利得切替選択スイッチ４０７をデジタル側に切替選択するものである。さらに制御用ＣＰＵ４０９は、デジタル信号処理部４０４からのＢＥＲが基準値を上回ると、現在受信中のデジタル放送に関わる誤り訂正処理等のデジタル信号処理が不可能になると判断し、アナログ放送を受信すべく、切替選択スイッチ４０２、出力切替スイッチ４０５及び自動利得切替選択スイッチ４０７をアナログ側に選択するものである。また、制御用ＣＰＵ４０９は、デジタル放送受信不可に伴うアナログ放送受信中に、アナログ信号処理部４０３からの受信電界強度が基準値以上となると、アナログ放送の受信状態と同様に、デジタル放送の受信状態が良好であると判断し、デジタル放送を受信すべく、切替選択スイッチ４０２、出力切替スイッチ４０５及び自動利得切替選択スイッチ４０７をデジタル側に切替選択するものである。
【特許文献１】特開２００２−７７７６１号公報
【特許文献２】特開２００１−２１７７３５号公報
【発明の開示】
【発明が解決しようとする課題】
【０００９】
しかしながら、前記従来技術の構成では、例えば、特許文献１の実施例においては、デジタル放送信号のデジタルコンテンツが記録できないことをユーザーに知らせることはできるが、ユーザーは、その表示通知によって前記デジタル放送信号のデジタルコンテンツの記録をあきらめざるをえない。
【００１０】
また、特許文献２の実施例においては、デジタル放送信号とアナログ放送信号の受信電界強度を判定することによって、デジタル放送信号の受信状況が悪いときには、デジタル放送と同じ放送内容のアナログ放送に切り替える、あるいは、デジタル放送信号の受信状況が良くなったときには、前記デジタル放送に切り替えるといった手段で、ユーザーにデジタル放送と同一コンテンツの視聴を保証しているが、デジタル放送信号と同一コンテンツの記録を考慮したシステムになっていない。
【００１１】
近年、ＳＤメモリーカードなどのリムーバブル記録媒体に映像音声を記録する機能を備えたデジタル放送受信対応の放送受信装置が増えているが、全ての装置がＣＰＲＭ対応できている訳ではなく、たとえ前記リムーバブル記録媒体を機器に備えていてもデジタル放送信号のコンテンツを記録することはできない場合がある。
【００１２】
本発明は、前記のような場合に、デジタル放送信号そのものは記録できなくても前記デジタル放送信号と同一の番組を送っているアナログ放送信号があることを利用し、前記アナログ放送信号の番組を前記デジタル放送信号の番組の代わりにアナログ信号のままで記録させることにより、たとえデジタル放送であっても、ユーザーが希望する放送番組の記録を保証しようとするものである。
【課題を解決するための手段】
【００１３】
本発明の放送受信装置及び放送記録装置は、デジタル放送信号及びアナログ放送信号を受信する放送受信装置であって、その中にＳＤメモリ等のリムーバブル記録媒体を備え、前記リムーバブル記録媒体に映像音声信号を記録させる手段を有し、前記デジタル放送信号がサイマル放送により、同一番組が、前記アナログ放送信号で送られていることを認識する手段を有し、前記デジタル放送信号が記録できない場合には、前記デジタル放送信号と同一番組のアナログ放送信号を記録することを特徴とする。
【発明の効果】
【００１４】
以上のように本発明によれば、デジタル放送のコンテンツを録画したい場合に、ＣＰＲＭ等のコピープロテクトの制約があって録画できなくても、サイマル放送のアナログ放送で同一番組内容を録画することができる。また、デジタル放送受信ができないような電界強度でも、サイマル放送のアナログ放送で同一番組内容を録画することができる。特にデジタル放送のコンテンツのコピープロテクトに関しては、ＤＶＤ−ＲＡＭやＳＤメモリ等のリムーバブル記録媒体を搭載した録画機器及び録画機器で、対応が遅れているケースが多いが、そのような機器であっても、本発明によれば、デジタル放送と同一番組内容の録画が可能になるので、ユーザーの利便性は維持でき、その効果は大きい。
【発明を実施するための最良の形態】
【００１５】
以下本発明の実施の形態について、図面を参照しながら説明する。
【００１６】
（実施の形態）
図１は、本発明の実施形態における放送受信装置を示したブロック図である。図１に示す放送受信装置は、到来するデジタル放送信号及びアナログ放送信号を受信する受信アンテナ１００と、デジタル放送信号をチューニングするデジタルチューナ部１０１と、アナログ放送信号をチューニングする親画面表示用の主アナログチューナ１０２と、アナログ放送信号をチューニングする子画面表示用の副アナログチューナ部１０３と、リムーバブル記録媒体であるＳＤメモリに映像と音声を記録及び再生することのできるＳＤ録画再生モジュール１０５と、ＡＶ切替スイッチ１０４と、前記ＡＶ切替スイッチ１０４から供給される親画面信号と子画面用信号を処理する映像音声処理部１０６と、映像音声処理部１０６から出力される映像信号を表示するための表示部１０７と前記映像音声処理部１０６から出力される音声信号を出力するスピーカ１０８を有する。
【００１７】
尚、前記ＡＶ切替スイッチ１０４は、前記デジタルチューナ部１０１と主アナログチューナ部１０２と副アナログチューナ部１０３とＳＤ録画再生モジュール１０５から入力された映像音声信号を親画面信号及び子画面信号に分けて前記映像音声処理部１０６に供給する。
【００１８】
さらに、本放送受信装置は、前記デジタルチューナ部１０１と、前記主アナログチューナ部１０２と、前記副アナログチューナ１０３と、前記ＡＶ切替スイッチ部と１０４と、前記ＳＤ録画再生モジュール１０５と、前記映像音声処理部１０６を制御する制御用ＣＰＵ１０９を有している。
【００１９】
メモリ１１０には、図２に示すように、地上デジタル放送チャンネルと、この放送地上デジタルチャンネルと同一番組に関わる地上アナログ放送チャンネルとを対応づけた番組対応表が記憶されている。尚、図２は、本発明の放送受信装置が、スクリーン上に前記番組対応表をユーザーに登録してもらうためのユーザーインターフェースである「サイマル放送関連付けメニュー」を２００として示している。図２において、例えば地上デジタルチャンネル０１１は、地上アナログチャンネル２に対応付けられている。
【００２０】
次に本実施の形態に示す放送受信装置の動作について説明する。図３は本実施の形態に示す放送受信装置におけるサイマル放送録画処理に関わる制御用ＣＰＵ１０９の処理動作を示すフローチャートである。制御用ＣＰＵ１０９は、デジタル放送番組の録画要求があると、ＳＤ録画再生モジュール１０５に対して録画開始のための制御コマンドを送るが、この場合、前記ＳＤ録画再生モジュールにどの映像音声信号を記録させるかは、ＡＶ切替スイッチ１０４を制御することによって決めることができる。また、ＳＤ録画再生モジュール１０５が、ＣＰＲＭ対応できているかどうかを、システム制御用マイコン１０９は、既知の情報として扱えることは明らかであるが、ＳＤ録画再生モジュールが、ＣＰＲＭに対応できている場合には、制御用ＣＰＵ１０９は、前記デジタルチューナ部１０１の状態を見て、デジタル放送の電界強度が十分で、デジタル放送データから映像音声信号をデコードすることができているかどうかを確認する。
【００２１】
この確認の結果、デジタル放送データから映像音声信号をデコードできていれば、制御用ＣＰＵ１０９は、ＡＶ切替スイッチ１０４を制御して、ＳＤ録画再生モジュール１０５に、前記デジタルチューナ部１０１からの映像音声信号が供給されるようにした上で、前記ＳＤ録画再生モジュール１０５に録画開始コマンドを送って処理を終了する。
【００２２】
次にＳＤ録画再生モジュール１０５が、ＣＰＲＭ対応できていない場合、若しくは、デジタル放送信号の信号強度が十分でなく、デジタル放送データから映像音声信号をデコードすることができない場合には、サイマル放送録画処理のフローに進む。サイマル放送録画処理のフローに進むと、制御用ＣＰＵ１０９は、まず、メモリ１１０の内容を読み込んで、現在選択されているデジタル放送チャンネルが、図２で示すようなアナログ放送チャンネルに対応付けられているかどうかをチェックし、もしサイマル放送により、現在選択されているデジタル放送チャンネルが、アナログ放送チャンネルに対応付けられていれば、副アナログチューナ部１０３で、デジタル放送チャンネルに対応したアナログ放送チャンネルを選局させ、ＡＶ切替スイッチ１０４からＳＤ録画再生モジュール１０５に対して供給する映像音声信号を、前記副アナログチューナ部１０３からの経路の映像音声信号に設定し、前記ＳＤ録画再生モジュール１０５に対して録画開始コマンドを送って処理を終了する。
【００２３】
もし、現在選択されているデジタル放送チャンネルが、サイマル放送されていなければ、制御用ＣＰＵ１０９は、録画不可であるというメッセージを表示部１０７に表示させて処理を終了する。尚、サイマル放送のアナログ放送信号録画用に副アナログチューナ部１０３を使っているのは、ユーザーが使用するほとんどの場合において、二画面機能の副画面の用途である副アナログチューナは、その使用頻度が少ないため、副アナログチューナをサイマル放送の録画目的で使用しても、ユーザー操作に与える影響はそれほど大きくないという理由からである。また、デジタル放送受信に対応したテレビ受信機では、多くのモデルが、多画面仕様に対応しており、アナログ放送受信用のチューナを主画面用と副画面用で２つ備えているため、本実施例は、容易に実現できる。
【産業上の利用可能性】
【００２４】
本発明によれば、デジタル放送信号を録画したいときに、録画処理部がＣＰＲＭ等のコピープロテクトに対応できていない理由や信号強度が十分でない理由で、録画できない場合に、サイマル放送のアナログ放送信号を録画させることにより、ユーザーが希望するデジタル放送信号と同一の番組内容を録画可能にするため、サイマル放送を受信可能な全てのＡＶ機器で有用である。
【図面の簡単な説明】
【００２５】
【図１】本発明の実施形態における放送受信装置を示したブロック図
【図２】本発明の実施形態におけるサイマル放送関連付けメニューのＯＳＤ表示を示す図
【図３】本実施の形態に示す放送受信装置のサイマル放送録画処理に関わる制御用ＣＰＵの処理動作を示したフローチャート
【図４】従来例でのデジタルコンテンツコピー不可警告メッセージ表示例を示した図
【図５】従来の放送受信装置を示したブロック図
【符号の説明】
【００２６】
１００    受信アンテナ
１０１    デジタルチューナ部
１０２    主アナログチューナ部
１０３    副アナログチューナ部
１０４    ＡＶスイッチ部
１０５    ＳＤ録画再生モジュール
１０６    映像音声処理部
１０７    表示部
１０８    スピーカ
１０９    制御用ＣＰＵ
１１０    メモリ
２００    サイマル放送関連付けメニュー
３００    コピー不可警告メッセージ
４００    受信アンテナ
４０１    テレビチューナ
４０２    切替選択スイッチ
４０３    アナログ信号処理部
４０４    デジタル信号処理部
４０５    出力切替スイッチ
４０６    選局ＰＬＬ部
４０７    自動利得切替選択スイッチ
４０８    メモリ
４０９    制御用ＣＰＵ
４１０    コンバータ
４１１    発振回路
４１２    ミキサ
【図１】
2006246299.tif 000003
【図２】
2006246299.tif 000004
【図３】
2006246299.tif 000005
【図４】
2006246299.tif 000006
【図５】
2006246299.tif 000007